(57)【要約】【課題】シャーシ部材における表示ユニット及びヒンジ装置の支持強度を確保すると共に、シャーシ部材の防錆化及び軽量化を図ることで、デジタルカメラの軽量化を可能にする仕組みを提供する。【解決手段】デジタルカメラは、カメラ本体１と、カメラ本体１の内部に設けられたシャーシ部材７に取り付けられるヒンジ装置３と、ヒンジ装置３を介してカメラ本体１に対して開閉方向に回動可能に支持される表示ユニット２とを備える。シャーシ部材７は、樹脂部材７ａ及び金属部材７ｂにより形成され、ヒンジ装置３は、金属部材７ｂに取り付けられる。【選択図】図４
2012044595.tif 000002
【特許請求の範囲】
【請求項１】
機器本体と、前記機器本体の内部に設けられたシャーシ部材に取り付けられるヒンジ装置と、前記ヒンジ装置を介して前記機器本体に対して開閉方向に回動可能に支持される表示ユニットとを備える電子機器であって、
前記シャーシ部材は、樹脂部材及び金属部材により形成され、前記ヒンジ装置は、前記金属部材に取り付けられることを特徴とする電子機器。
【請求項２】
前記金属部材は、電池のグランド部に電気的に接続されることを特徴とする請求項１に記載の電子機器。
【請求項３】
前記金属部材は、アルミニウム合金又はチタニウム合金で形成されることを特徴とする請求項１又は２に記載の電子機器。
【請求項４】
前記ヒンジ装置は、導電性を有する材料で形成される補強部材を介して前記金属部材に取り付けられることを特徴とする請求項１乃至３のいずれか一項に記載の電子機器。
【請求項５】
前記ヒンジ装置と前記機器本体との間に、前記表示ユニットが全開位置を超えて前記ヒンジ装置とともに開方向に回動した際に前記ヒンジ装置が当接する緩衝部材が設けられることを特徴とする請求項１乃至４のいずれか一項に記載の電子機器。
【発明の詳細な説明】
【技術分野】
【０００１】
本発明は、例えば、デジタルカメラ、デジタルビデオカメラ、及び携帯電話機等の電子機器に関する。
【背景技術】
【０００２】
デジタルカメラ等の電子機器として、液晶等の表示部を有する表示ユニットを、ヒンジ装置を介して機器本体に対して開閉方向に回動可能に支持すると共に、開状態で回転可能に支持することで、様々な角度での画像の確認を可能にしたものがある（特許文献１）。ヒンジ装置は、一般に、機器本体内に設けられた金属製のシャーシ部材に取り付けられ（特許文献２）、シャーシ部材をリード線等を用いてグランド部と接続する事でシールド効果を高める事が可能となる。
【先行技術文献】
【特許文献】
【０００３】
【特許文献１】特開平０９−００９１０８号公報
【特許文献２】特開２００８−０５１３３８号公報
【発明の概要】
【発明が解決しようとする課題】
【０００４】
しかし、上記従来の電子機器では、シャーシ部材は、表示ユニット及びヒンジ装置を支持する強度を得るために、厚い金属製のプレートが使用される。このため、シャーシ部材の重量が増し、電子機器全体の軽量化を妨げる原因になっている。
【０００５】
そこで、本発明は、シャーシ部材における表示ユニット及びヒンジ装置の支持強度を確保すると共に、電子機器の軽量化を可能にすることを目的とする。
【課題を解決するための手段】
【０００６】
上記目的を達成するために、本発明の電子機器は、機器本体と、前記機器本体の内部に設けられたシャーシ部材に取り付けられるヒンジ装置と、前記ヒンジ装置を介して前記機器本体に対して開閉方向に回動可能に支持される表示ユニットとを備える電子機器であって、前記シャーシ部材は、樹脂部材及び金属部材により形成され、前記ヒンジ装置は、前記金属部材に取り付けられることを特徴とする。
【発明の効果】
【０００７】
本発明によれば、シャーシ部材における表示ユニット及びヒンジ装置の支持強度を確保することができると共に、電子機器の軽量化を図ることができる。
【図面の簡単な説明】
【０００８】
【図１】本発明の電子機器の実施形態の一例であるデジタルカメラを背面側から見た斜視図である。
【図２】２軸ヒンジ装置の分解斜視図である。
【図３】図１のＡ−Ａ線の要部断面図である。
【図４】２軸ヒンジ装置の取付構造を説明するための斜視図である。
【図５】２軸ヒンジ装置の取付構造を説明するための分解斜視図である。
【発明を実施するための形態】
【０００９】
以下、本発明の実施形態の一例を図面を参照して説明する。
【００１０】
図１は、本発明の電子機器の実施形態の一例であるデジタルカメラを背面側から見た斜視図である。
【００１１】
図１に示すように、本実施形態のデジタルカメラは、カメラ本体１の背面側から見て左側の側部に、液晶ディスプレイ等の表示部２ａを有する表示ユニット２が２軸ヒンジ装置３の開閉軸Ｙを介して開閉方向に回動可能に支持されている。表示ユニット２は、閉じ状態でカメラ本体１の背面凹部に収納され、収納状態から略１８０°開方向に回動した位置（図１）が全開位置となる。表示ユニット２が全開位置まで回動した状態では、後述する２軸ヒンジ装置３のストッパ３０４によりそれ以上の回動が規制される。また、表示ユニット２は、開状態で、カメラ本体１に対して、２軸ヒンジ装置３の回転軸Ｘを介して回転可能となっている。ここで、カメラ本体１は、本発明の機器本体の一例に相当する。
【００１２】
図２は、２軸ヒンジ装置３の分解斜視図である。なお、２軸ヒンジ装置３の構成は、特に限定されず、本実施形態では、公知のものを用いるため、簡単に説明する。
【００１３】
図２において、本体側取付部３０１は、カメラ本体１内に設けられた、後述するシャーシ部材７にねじ等を介して取り付けられる。本体側取付部３０１には、ストッパ３０４が曲げ加工等により形成され、軸部材３０２，３０３により構成される開閉軸Ｙを介した表示ユニット２の回動角度を略１８０°に規制する。固定カム３０５は、軸部材３０３に固定され、可動カム３０６は、軸部材３０３に軸方向に移動自在に挿入され、コイルばね３０７は、固定カム３０５を可動カム３０６側に常時付勢する。
【００１４】
表示ユニット取付部３０８には、表示ユニット２がねじ等を介して取り付けられる。軸部材３０９は、回転軸Ｘを構成し、カメラ本体１に対して表示ユニット２を回転させる際の中心軸となる。板ばね３１０は、軸部材３０９に所定のトルクを与える。ストッパ３１１は、軸部材３０９を中心とする表示ユニット２の回転範囲を一定範囲に規制する。ベース部材３１２には、軸部材３０２，３０３の端部が固定されるとともに、軸部材３０９が回動可能に支持される。外装カバー４，５は、２軸ヒンジ装置３の外装を形成し、表示ユニット２とともに開閉軸Ｙ回りに回動する。
【００１５】
ここで、本実施形態では、図１及び図３に示すように、カメラ本体１と２軸ヒンジ装置３との間に、緩衝部材６が設けられている。緩衝部材６は、ユーザがカメラ本体１を把持したときの滑り止めの目的や、カメラ本体１に衝撃が加わったときの衝撃緩和の目的で、滑りにくく衝撃吸収効果の高いゴム等のシート状の弾性材料から形成されている。
【００１６】
緩衝部材６は、カメラ本体１の背面側から見て左側の側面に不図示の両面テープ等に貼着されている。また、緩衝部材６の一部は、表示ユニット２が全開位置に回動した状態において、２軸ヒンジ装置３の外装カバー４と対向する位置に配置されて、当接部６ａとされている。当接部６ａは、表示ユニット２が全開位置に回動した状態では、外装カバー４と非接触とされている。
【００１７】
そして、落下等による衝撃で全開位置の表示ユニット２に対して更に開方向の荷重Ｆが作用して、表示ユニット２が全開位置を超えて２軸ヒンジ装置３とともに開方向に回動すると、外装カバー４が当接部６ａに当接する。
【００１８】
これにより、表示ユニット２及び２軸ヒンジ装置３の開方向の回動が規制されるとともに、当接部６ａの弾性変形により荷重Ｆが分散されてストッパ３０４への負荷集中が抑えられ、ストッパ３０４の過度な変形を防止することができる。なお、本実施形態では、外装カバー４，５を有する２軸ヒンジ装置３を採用して外装カバー４を当接部６ａに当接させる場合を例示したが、必ずしも外装カバー４，５を設ける必要はなく、例えば、ベース部材３１２を当接部６ａに当接させるようにしてもよい。
【００１９】
次に、図４及び図５を参照して、２軸ヒンジ装置３の取付構造について説明する。
【００２０】
図４及び図５に示すように、カメラ本体１の内部には、シャーシ部材７が設けられている。シャーシ部材７は、本実施形態では、エンジニアリングプラスチック等の樹脂部材７ａの内部にアルミニウム合金やチタニウム合金等のプレート状の金属部材７ｂがインサート成形されている。樹脂部材７ａ及び金属部材７ｂは、共にステンレス鋼より比重が小さい部材とされ、金属部材７ｂは、リード線等を介して不図示の電池のグランド部と接続されている。
【００２１】
なお、本実施形態では、樹脂部材７ａの内部に金属部材７ｂをインサート成形しているが、これに代えて、金属部材７ｂに対して樹脂部材７ａをアウトサート成形してもよい。また、金属部材７ｂと樹脂部材７ａとをビス等で固定してもよく、更には、金属部材７ｂと樹脂部材７ａとを圧入等の手段により固定してもよい。
【００２２】
また、シャーシ部材７の金属部材７ｂには、金属製の補強プレート９がねじ１０によって固定され、補強プレート９には、２軸ヒンジ装置３の本体側取付部３０１がねじ１１等によって固定される。これにより、表示ユニット２が２軸ヒンジ装置３、補強プレート９及び金属部材７ｂを介してデジタルカメラ内部に配置される電気回路のグランドラインに電気的に接続される。ここで、補強プレート９は、本発明の補強部材の一例に相当する。本実施形態では、補強プレート９を金属材料で形成しているが、十分な強度と導電性を有する材料であれば、金属材料でなくても同様の作用効果を奏する。
【００２３】
図５において、シールド線１２は、表示ユニット２とカメラ本体１内部の不図示の電気回路基板とを２軸ヒンジ装置３を介して接続するためのものである。シールド線１２には、表示ユニット２を駆動・制御するための電流が流れて磁界が発生し、アンテナとして作用して放射ノイズが発生するが、２軸ヒンジ装置３は、上述したように、電池のグランド部と接続されているので、放射ノイズを低減させる事が可能となる。
【００２４】
以上説明したように、本実施形態では、樹脂部材７ａと金属部材７ｂとによりシャーシ部材７を形成している。このため、１枚のステンレス鋼製プレートでシャーシ部材を形成する場合に比べて、シャーシ部材７の軽量化を図ることができ、デジタルカメラの軽量化が可能となる。
【００２５】
また、２軸ヒンジ装置３の本体側取付部３０１を補強プレート９を介してシャーシ部材７の金属部材７ｂに固定しているので、シャーシ部材７における表示ユニット２及び２軸ヒンジ装置３の支持強度を十分に確保することができる。
【００２６】
なお、本発明の構成は、上記実施形態に例示したものに限定されるものではなく、材質、形状、寸法、形態、数、配置箇所等は、本発明の要旨を逸脱しない範囲において適宜変更可能である。
【００２７】
例えば、上記実施形態では、２軸ヒンジ装置３の本体側取付部３０１を補強プレート９を介してシャーシ部材７の金属部材７ｂに固定した場合を例示したが、２軸ヒンジ装置３の本体側取付部３０１を金属部材７ｂに直接固定してもよい。
【符号の説明】
【００２８】
１  カメラ本体
２  表示ユニット
３  ２軸ヒンジ装置
６  緩衝部材
７  シャーシ部材
７ａ  樹脂部材
７ｂ  軽合金部材
９  補強プレート
【図１】
2012044595.tif 000003
【図２】
2012044595.tif 000004
【図３】
2012044595.tif 000005
【図４】
2012044595.tif 000006
【図５】
2012044595.tif 000007